(57)【要約】【課題】入力電圧が位相制御された場合に過電流の抑制を図る。【解決手段】第２制御回路１１２、１２２は、点灯期間において第１ＬＥＤアレイ２、第２ＬＥＤアレイ３に流れる負荷電流Ｉ２、Ｉ３の大きさを検出し、負荷電流Ｉ２、Ｉ３の大きさが第１目標値よりも大きい上限値を超えないようにトランジスタＱ１、Ｑ２を制御する。さらに、第２制御回路１１２、１２２は、第１制御回路１１１、１２１が負荷電流Ｉ２、Ｉ３の大きさを制御する際の第１応答速度よりも速い第２応答速度でトランジスタＱ１、Ｑ２を制御する。【選択図】        図１
2018106843.tif 000002
【特許請求の範囲】
【請求項１】
交流電圧を整流して脈流電圧を出力する整流回路と、
前記脈流電圧の１周期内において、固体光源に負荷電流を供給する点灯期間と前記固体光源に負荷電流を供給しない消灯期間とを前記脈流電圧の電圧値に応じて切り替える駆動回路と
を備え、
前記駆動回路は、
前記固体光源に流れる負荷電流を増減する制御素子と、
前記点灯期間において前記固体光源に流れる負荷電流の大きさを検出し、前記負荷電流の大きさを第１目標値に一致させるように前記制御素子を制御する第１制御回路と、
前記点灯期間において前記固体光源に流れる負荷電流の大きさを検出し、前記負荷電流の大きさが前記第１目標値よりも大きい上限値を超えないように前記制御素子を制御する第２制御回路と
を有し、
前記第２制御回路は、前記第１制御回路が前記負荷電流の大きさを制御する際の第１応答速度よりも速い第２応答速度で前記制御素子を制御する
ことを特徴とする点灯装置。
【請求項２】
前記第１制御回路は、前記負荷電流の大きさを検出する検出素子を有し、前記検出素子で検出される前記負荷電流の大きさに応じて前記制御素子を制御し、
前記第２制御回路は、前記検出素子で検出される前記負荷電流の大きさに応じて前記制御素子を制御する
ことを特徴とする請求項１記載の点灯装置。
【請求項３】
前記第２制御回路は、前記脈流電圧に応じて前記上限値を変更する
ことを特徴とする請求項１又は２記載の点灯装置。
【請求項４】
前記整流回路の入力側もしくは出力側に設けられ、入力に含まれる高調波成分を減衰させるフィルタ回路を備える
ことを特徴とする請求項１〜３のいずれか１項に記載の点灯装置。
【請求項５】
前記フィルタ回路は、前記第１制御回路の制御応答利得がゼロ以下となる第１周波数よりも高く、かつ、前記第２制御回路の制御応答利得がゼロ以下となる第２周波数よりも低い遮断周波数を有する
ことを特徴とする請求項４記載の点灯装置。
【請求項６】
請求項１〜５のいずれか１項に記載の点灯装置と、前記点灯装置を保持する本体とを備える
ことを特徴とする照明器具。
【発明の詳細な説明】
【技術分野】
【０００１】
本発明は、点灯装置及び照明器具に関し、より詳細には、交流電源から供給される交流電圧を直流電圧に変換せずに固体光源に供給して点灯させる点灯装置及び当該点灯装置を備えた照明器具に関する。
【背景技術】
【０００２】
従来例として、特許文献１記載のＬＥＤ照明機器を例示する。特許文献１記載のＬＥＤ照明機器（以下、従来例という）は、複数のＬＥＤ（Light Emitting Diode）の直列回路からなるＬＥＤストリングと、交流電圧を全波整流する整流器と、発光制御部とを備えている。このうち、整流器と発光制御部が点灯装置に含まれる。発光制御部は、整流器を介してＬＥＤストリングに供給される入力電圧（脈流電圧）の変動に応じてＬＥＤの点灯数を変えながらＬＥＤストリングに流れる駆動電流を定電流制御する。調光器は、トライアックを有している。調光器は、トライアックを制御することで交流電源からＬＥＤ照明機器に供給される交流電圧の位相を制御してＬＥＤ照明機器を調光制御するように構成されている。
【先行技術文献】
【特許文献】
【０００３】
【特許文献１】特開２０１３−２２５３９３号公報
【発明の概要】
【発明が解決しようとする課題】
【０００４】
ところで、調光器のトライアックが交流電圧のピークに近い位相でターンオンした場合、点灯装置への入力電流が急激に増加することにより、点灯装置に過電流が流れてしまう可能性がある。
【０００５】
本発明の目的は、入力電圧が位相制御された場合に過電流の抑制を図ることができる点灯装置及び照明器具を提供することである。
【課題を解決するための手段】
【０００６】
本発明の一態様に係る点灯装置は、交流電圧を整流して脈流電圧を出力する整流回路を備える。前記点灯装置は、前記脈流電圧の１周期内において、固体光源に負荷電流を供給する点灯期間と前記固体光源に負荷電流を供給しない消灯期間とを前記脈流電圧の電圧値に応じて切り替える駆動回路とを備える。前記駆動回路は、前記固体光源に流れる負荷電流を増減する制御素子と、前記点灯期間において前記固体光源に流れる負荷電流の大きさを検出し、前記負荷電流の大きさを第１目標値に一致させるように前記制御素子を制御する第１制御回路とを有する。さらに、前記駆動回路は、前記点灯期間において前記固体光源に流れる負荷電流の大きさを検出し、前記負荷電流の大きさが前記第１目標値よりも大きい上限値を超えないように前記制御素子を制御する第２制御回路を有する。前記第２制御回路は、前記第１制御回路が前記負荷電流の大きさを制御する際の第１応答速度よりも速い第２応答速度で前記制御素子を制御する。
【０００７】
本発明の一態様に係る照明器具は、前記点灯装置と、前記点灯装置を保持する本体とを備える。
【発明の効果】
【０００８】
本発明の点灯装置及び照明器具は、入力電圧が位相制御された場合に過電流の抑制を図ることができるという効果がある。
【図面の簡単な説明】
【０００９】
【図１】図１は、本発明の実施形態１に係る点灯装置の回路図である。
【図２】図２は、同上の点灯装置の動作説明用の回路図である。
【図３】図３は、同上の点灯装置の動作説明用の波形図である。
【図４】図４は、同上の点灯装置の別の動作説明用の波形図である。
【図５】図５は、同上の点灯装置の変形例における一部省略した回路図である。
【図６】図６は、本発明の実施形態２に係る点灯装置の一部省略した回路図である。
【図７】図７Ａは、本発明の実施形態３に係る照明器具の斜視図である。図７Ｂは、同上の照明器具の変形例１の斜視図である。図７Ｃは、同上の照明器具の変形例２の斜視図である。
【発明を実施するための形態】
【００１０】
以下、本発明の実施形態に係る点灯装置、並びに本発明の実施形態に係る照明器具を説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１１】
（実施形態１）
実施形態１に係る点灯装置１Ａは、図１に示すように、整流回路１０と、第１駆動回路１１と、第２駆動回路１２と、ブリーダ回路１３と、電源回路１４と、基準電圧回路１５と、フィルタ回路１６とを備えている。点灯装置１Ａは、交流電源４から供給される交流電圧（例えば、電圧実効値が１００［Ｖ］、電源周波数が５０［Ｈｚ］又は６０［Ｈｚ］である正弦波の交流電圧）を交直変換せずに少なくとも１つの固体光源に供給して点灯する。固体光源は、例えば、照明用白色ＬＥＤである。ただし、固体光源は、有機エレクトロルミネッセンス素子、あるいは半導体レーザなどのＬＥＤ以外の固体光源でも構わない。
【００１２】
整流回路１０は、４つのダイオードＤ１〜Ｄ４のブリッジ回路（ダイオードブリッジ）で構成されている。整流回路１０は、２つの交流入力端間に交流電源４から入力される交流電圧を全波整流し、２つの脈流出力端間から脈流電圧（入力電圧Ｖin）及び脈流電流（入力電流Ｉin）を出力する。２つの脈流出力端のうちの一方の脈流出力端に往路の電路（第１電路１７）が電気的に接続されている。また、２つの脈流出力端のうちの他方の脈流出力端に復路の電路（第２電路１８）が電気的に接続されている。
【００１３】
フィルタ回路１６は、第１電路１７に挿入されるチョークコイルＬ１と、第１電路１７と第２電路１８の間に電気的に接続される２つのコンデンサ（アクロスザラインコンデンサ）Ｃ１、Ｃ２とを有している。つまり、フィルタ回路１６は、いわゆるπ形のＬＣフィルタ回路である。フィルタ回路１６は、交流電源４と整流回路１０を電気的に接続している電源ラインに重畳したサージ電圧をフィルタリングすることにより、第１駆動回路１１、第２駆動回路１２、ブリーダ回路１３、電源回路１４及び基準電圧回路１５を保護している。
【００１４】
第１電路１７の末端に第１ＬＥＤアレイ２の正極が電気的に接続されている。また、第１ＬＥＤアレイ２の負極に第２ＬＥＤアレイ３の正極が電気的に接続されている。第１ＬＥＤアレイ２は、３つのＬＥＤ２０の直列回路で構成されている。また、第２ＬＥＤアレイ３は、２つのＬＥＤ３０の直列回路で構成されている。第１ＬＥＤアレイ２及び第２ＬＥＤアレイ３は、それぞれの正極と負極の間に印加される電圧がそれぞれのオン電圧（第１オン電圧Ｖ２１及び第２オン電圧Ｖ２２）以上のときに導通して発光（点灯）する。第１オン電圧Ｖ２１と第２オン電圧Ｖ２２の合計値（Ｖ２１＋Ｖ２２）は、入力電圧Ｖinのピーク値（例えば、１００×√２≒１４１［Ｖ］）よりも低い値である。例えば、合計値は、ピーク値よりも１０［％］〜２０［％］低い値）であることが好ましい。ただし、第１ＬＥＤアレイ２及び第２ＬＥＤアレイ３を構成するＬＥＤ２０、３０の個数は、３つ及び２つに限定されない。また、点灯装置１Ａが点灯させるＬＥＤアレイは２つに限定されず、３つ以上のＬＥＤアレイを点灯させるように構成されてもよい。なお、第１ＬＥＤアレイ２及び第２ＬＥＤアレイ３は、点灯装置１Ａの構成要素に含まれない。
【００１５】
第１ＬＥＤアレイ２の正極と負極の間に平滑用のコンデンサＣ１２が電気的に並列接続されている。第２ＬＥＤアレイ３の正極と負極の間にも平滑用のコンデンサＣ１３が電気的に並列接続されている。これら２つのコンデンサＣ１２、Ｃ１３は、第１ＬＥＤアレイ２及び第２ＬＥＤアレイ３に印加される電圧及び電流を平滑することにより、第１ＬＥＤアレイ２及び第２ＬＥＤアレイ３から放射される光の変動を抑制している。
【００１６】
第１駆動回路１１は、第１制御素子に相当するトランジスタＱ１と、第１制御回路１１１と、第２制御回路１１２とを有している。トランジスタＱ１は、例えばエンハンスメント形のｎチャンネルＭＯＳＦＥＴ（Metal-Oxide-Semiconductor Field Effect Transistor）である。トランジスタＱ１のドレインはダイオードＤ１１のカソードと電気的に接続されている。ダイオードＤ１１のアノードは、第１ＬＥＤアレイ２の負極と電気的に接続されている。
【００１７】
第１制御回路１１１は、オペアンプＵ２と、コンデンサＣ２５と、抵抗Ｒ２５〜Ｒ２７とを備えている。抵抗Ｒ２７の一端がトランジスタＱ１のソースと電気的に接続され、抵抗Ｒ２７の他端が第２電路１８と電気的に接続されている。抵抗Ｒ２５の一端がトランジスタＱ１のゲートと電気的に接続され、抵抗Ｒ２５の他端がオペアンプＵ２の出力端子と電気的に接続されている。オペアンプＵ２のプラス入力端子は、基準電圧回路１５から第１基準電圧Ｖ１が入力される。オペアンプＵ２のマイナス入力端子は、抵抗Ｒ２６を介してトランジスタＱ１のソースと電気的に接続されている。コンデンサＣ２５は、オペアンプＵ２の出力端子とマイナス入力端子に電気的に直列接続されている。オペアンプＵ２は、トランジスタＱ１のドレイン電流を抵抗Ｒ２７の両端電圧によって検出し、その両端電圧を第１基準電圧Ｖ１に一致させるように出力電圧（トランジスタＱ１のゲート電圧）を調整する。つまり、第１制御回路１１１は、トランジスタＱ１のゲート電圧（ゲート・ソース間電圧）を調整（制御）することによって、第１ＬＥＤアレイ２に流れる負荷電流Ｉ２（の大きさ）を第１基準電圧Ｖ１に対応した第１目標値に一致させて定電流化する。ここで、コンデンサＣ２５及び抵抗Ｒ２５、Ｒ２６は、オペアンプＵ２の発振を防止するための位相補償回路を構成している。
【００１８】
第２制御回路１１２は、スイッチ素子Ｑ７と、３つの抵抗Ｒ４４〜Ｒ４６とを備えている。スイッチ素子Ｑ７は、例えば、ＮＰＮ型のバイポーラトランジスタである。スイッチ素子Ｑ７のコレクタは、抵抗Ｒ４６を介してトランジスタＱ１のゲートと電気的に接続されている。スイッチ素子Ｑ７のベースは、抵抗Ｒ４５を介してトランジスタＱ１のソースと電気的に接続されている。また、抵抗Ｒ４４の一端が抵抗Ｒ２７の一端及びスイッチ素子Ｑ７のエミッタと電気的に接続され、抵抗Ｒ４４の他端がトランジスタＱ１のソースと電気的に接続されている。スイッチ素子Ｑ７は、ベース・エミッタ間の電圧がしきい値未満のときはオフとなり、ベース・エミッタ間の電圧がしきい値以上のときにオンする。スイッチ素子Ｑ７がオンすると、トランジスタＱ１のゲートに蓄積されている電荷がスイッチ素子Ｑ７を介して引き抜かれ、トランジスタＱ１がターンオフする。つまり、第２制御回路１１２は、負荷電流Ｉ２（の大きさ）が上限値未満のときはスイッチ素子Ｑ７をオフ状態に維持し、負荷電流Ｉ２が上限値以上のときにスイッチ素子Ｑ７をオンしてトランジスタＱ１をターンオフすることで負荷電流Ｉ２を減少させる。
【００１９】
第２駆動回路１２は、第２制御素子に相当するトランジスタＱ２と、第１制御回路１２１と、第２制御回路１２２とを有している。トランジスタＱ２は、例えばエンハンスメント形のｎチャンネルＭＯＳＦＥＴである。トランジスタＱ２のドレインはダイオードＤ１２のカソードと電気的に接続されている。ダイオードＤ１２のアノードは、第２ＬＥＤアレイ３の負極と電気的に接続されている。
【００２０】
第１制御回路１２１は、オペアンプＵ３と、コンデンサＣ１６と、抵抗Ｒ３０〜Ｒ３２とを備えている。抵抗Ｒ３２の一端がトランジスタＱ２のソースと電気的に接続され、抵抗Ｒ３２の他端が第１制御回路１１１の抵抗Ｒ２７の一端と電気的に直列接続されている。抵抗Ｒ３０の一端がトランジスタＱ２のゲートと電気的に接続され、抵抗Ｒ３０の他端がオペアンプＵ３の出力端子と電気的に接続されている。オペアンプＵ３のプラス入力端子は、基準電圧回路１５から第２基準電圧Ｖ２が入力される。オペアンプＵ３のマイナス入力端子は、抵抗Ｒ３１を介してトランジスタＱ２のソースと電気的に接続されている。コンデンサＣ１６は、オペアンプＵ３の出力端子とマイナス入力端子に電気的に直列接続されている。オペアンプＵ３は、トランジスタＱ２のドレイン電流（負荷電流Ｉ３）を抵抗Ｒ３２と抵抗Ｒ２７の直列回路の両端電圧によって検出し、その両端電圧を第２基準電圧Ｖ２に一致させるように出力電圧（トランジスタＱ２のゲート電圧）を調整する。つまり、第１制御回路１２１は、第１ＬＥＤアレイ２及び第２ＬＥＤアレイ３に流れる負荷電流Ｉ３を第２基準電圧Ｖ２に対応した第２目標値に一致させて定電流化する。ここで、コンデンサＣ１６及び抵抗Ｒ３０、Ｒ３１は、オペアンプＵ３の発振を防止するための位相補償回路を構成している。
【００２１】
第２制御回路１２２は、スイッチ素子Ｑ８と、３つの抵抗Ｒ４７〜Ｒ４９とを備えている。スイッチ素子Ｑ８は、例えば、ＮＰＮ型のバイポーラトランジスタである。スイッチ素子Ｑ８のコレクタは、抵抗Ｒ４９を介してトランジスタＱ２のゲートと電気的に接続されている。スイッチ素子Ｑ８のベースは、抵抗Ｒ４８を介してトランジスタＱ２のソースと電気的に接続されている。また、抵抗Ｒ４７の一端が抵抗Ｒ２７の一端及びスイッチ素子Ｑ８のエミッタと電気的に接続され、抵抗Ｒ４７の他端がトランジスタＱ２のソースと電気的に接続されている。スイッチ素子Ｑ８は、ベース・エミッタ間の電圧がしきい値未満のときはオフとなり、ベース・エミッタ間の電圧がしきい値以上のときにオンする。スイッチ素子Ｑ８がオンすると、トランジスタＱ２のゲートに蓄積されている電荷がスイッチ素子Ｑ８を介して引き抜かれ、トランジスタＱ２がターンオフする。つまり、第２制御回路１２２は、負荷電流Ｉ３（の大きさ）が上限値未満のときはスイッチ素子Ｑ８をオフ状態に維持し、負荷電流Ｉ３が上限値以上のときにスイッチ素子Ｑ８をオンしてトランジスタＱ２をターンオフすることで負荷電流Ｉ３を減少させる。
【００２２】
電源回路１４は、コンデンサＣ１１と定電圧回路（定電圧ダイオードＺＤ２）の並列回路で構成されている。コンデンサＣ１１は、ブリーダ回路１３から供給されるブリーダ電流によって充電される。定電圧ダイオードＺＤ２は、コンデンサＣ１１の両端電圧を所定電圧（例えば、６〜１５［Ｖ］）以下にクランプする。電源回路１４は、コンデンサＣ１１に充電された電荷を放電することで第１駆動回路１１及び第２駆動回路１２に電流（以下、制御電源電流と呼ぶ。）Ｉccを供給する。なお、制御電源電流Ｉccは、第１駆動回路１１のオペアンプＵ２及び第２駆動回路１２のオペアンプＵ３の各々消費電流の最大値（例えば、１［ｍＡ］）の合計よりも大きいことが好ましい。
【００２３】
基準電圧回路１５は、３つの分圧抵抗Ｒ２１、Ｒ２３、Ｒ２４と、２つのコンデンサＣ１４、Ｃ１５とを有している。分圧抵抗Ｒ２３の第１端がコンデンサＣ１１の高電位側の端子（定電圧ダイオードＺＤ２のカソードと電気的に接続されている端子）と電気的に接続されている。分圧抵抗Ｒ２３の第２端が分圧抵抗Ｒ２４の第１端と電気的に接続されている。分圧抵抗Ｒ２４の第２端が分圧抵抗Ｒ２１の第１端と電気的に接続されている。分圧抵抗Ｒ２１の第２端が第２電路１８に電気的に接続されている。コンデンサＣ１４は、分圧抵抗Ｒ２１と電気的に並列接続されている。コンデンサＣ１５は、分圧抵抗Ｒ２１及びＲ２４と電気的に並列接続されている。つまり、基準電圧回路１５は、電源回路１４の定格電源電圧（定電圧ダイオードＺＤ２のツェナー電圧にほぼ等しい電圧）Ｖccを３つの分圧抵抗Ｒ２１、Ｒ２３、Ｒ２４で分圧して第１基準電圧Ｖ１を生成している。また、基準電圧回路１５は、電源回路１４の定格電源電圧Ｖccを１つの分圧抵抗Ｒ２３と、２つの分圧抵抗Ｒ２１及びＲ２４の合成抵抗とで分圧して第２基準電圧Ｖ２を生成している。なお、第２基準電圧Ｖ２は、第１基準電圧Ｖ１よりも高くなる。
【００２４】
ブリーダ回路１３は、トランジスタＱ５、シャントレギュレータＵ１、定電圧ダイオードＺＤ１、抵抗Ｒ１、Ｒ３、Ｒ８、Ｒ９、ダイオードＤ６及びコンデンサＣ１０を有している。ダイオードＤ６のアノードが第１電路１７に電気的に接続されている。ダイオードＤ６のカソードがトランジスタＱ５のドレインに電気的に接続されている。トランジスタＱ５は、エンハンスメント形のｎチャンネルＭＯＳＦＥＴである。トランジスタＱ５のソースが抵抗Ｒ８の第１端に電気的に接続されている。抵抗Ｒ８の第２端が電源回路１４の正極（定電圧ダイオードＺＤ１のカソード）と電気的に接続されている。トランジスタＱ５のゲートは、抵抗Ｒ９の第１端、シャントレギュレータＵ１のカソード端子、コンデンサＣ１０の一端及び定電圧ダイオードＺＤ１のカソードと電気的に接続されている。抵抗Ｒ９の第２端は第１電路１７に電気的に接続されている。シャントレギュレータＵ１のアノード端子と定電圧ダイオードＺＤ１のアノードが第２電路１８に電気的に接続されている。シャントレギュレータＵ１のリファレンス端子が抵抗Ｒ３の第１端及びコンデンサＣ１０の他端と電気的に接続されている。抵抗Ｒ３の第２端が第２電路１８に電気的に接続されている。抵抗Ｒ１は、第２電路１８においてシャントレギュレータＵ１のアノード端子と抵抗Ｒ３との間に挿入されている。
【００２５】
トランジスタＱ５のゲートは、抵抗Ｒ９を介してバイアスされる。ゲートがバイアスされることにより、トランジスタＱ５が動作してドレイン電流が流れる。ドレイン電流は、第１電路１７からダイオードＤ６、トランジスタＱ５、抵抗Ｒ８及び電源回路１４を経由して第２電路１８（抵抗Ｒ１）に流れる。シャントレギュレータＵ１は、アノード端子から見たリファレンス端子の電圧を内部の基準電圧に一致させるように、カソード端子からアノード端子に流す電流を調整するように構成された集積回路である。すなわち、シャントレギュレータＵ１は、抵抗Ｒ１に流れる電流が増えてリファレンス端子の電圧が上昇すると、カソード端子からアノード端子に流す電流を増加させる。シャントレギュレータＵ１のカソード端子からアノード端子に流れる電流が増加すれば、抵抗Ｒ９の両端電圧が上昇することでトランジスタＱ５のゲート電圧が低下してトランジスタＱ５のドレイン電流、すなわち、抵抗Ｒ１に流れる電流が減少する。また、シャントレギュレータＵ１は、抵抗Ｒ１に流れる電流が減少してリファレンス端子の電圧が下降すると、カソード端子からアノード端子に流す電流を減少させる。シャントレギュレータＵ１のカソード端子からアノード端子に流れる電流が減少すれば、抵抗Ｒ９の両端電圧が下降することでトランジスタＱ５のゲート電圧が上昇してトランジスタＱ５のドレイン電流、すなわち、抵抗Ｒ１に流れる電流が増加する。つまり、シャントレギュレータＵ１は、抵抗Ｒ９に流す電流を定電流化することでトランジスタＱ５のゲート電圧を一定に保ち、トランジスタＱ５のドレイン電流（ブリーダ電流）を定電流化している。なお、コンデンサＣ１０は、リファレンス端子の電圧変化を緩やかにすることでシャントレギュレータＵ１の応答速度を低下させている。また、定電圧ダイオードＺＤ１は、シャントレギュレータＵ１のカソード端子とアノード端子間に過電圧が印加されることを防止している。
【００２６】
次に、入力電圧Ｖinが調光器によって位相制御されていない場合の点灯装置１Ａの動作について、図２及び図３を参照して詳しく説明する。図３は、入力電圧Ｖinの１周期（交流電圧の半周期：例えば、位相：０［rad］〜π［rad］）における入力電流Ｉinの変化を表している。入力電圧Ｖinがゼロクロス（位相：０［rad］）を過ぎてブリーダ回路１３のトランジスタＱ５が動作を開始するまでの区間Ｍ０では、第１ＬＥＤアレイ２、第２ＬＥＤアレイ３及びブリーダ回路１３が全て停止している。そのため、入力電流Ｉinはゼロとなる。
【００２７】
そして、入力電圧Ｖinが上昇して電源回路１４の定電圧ダイオードＺＤ２の両端電圧が定電圧ダイオードＺＤ２のツェナー電圧を超えると、ブリーダ回路１３から電源回路１４にブリーダ電流Ｉ１が流れてコンデンサＣ１１が充電される（図１及び図２参照）。その結果、電源回路１４から第１駆動回路１１及び第２駆動回路１２へ制御電源電流Ｉccが供給される。ここで、ブリーダ回路１３は、調光器のトライアックの自己保持に必要な電流（約１０［ｍＡ］）よりも大きい値（例えば、２０［ｍＡ］〜４０［ｍＡ］）のブリーダ電流Ｉ１を流すように構成されている。ブリーダ回路１３が動作を開始する位相から入力電圧Ｖinが第１オン電圧Ｖ２１以上となる位相までの区間（図３における区間Ｍ１）では、第１ＬＥＤアレイ２及び第２ＬＥＤアレイ３が導通せずに消灯している。また、第１駆動回路１１及び第２駆動回路１２は停止している。
【００２８】
入力電圧Ｖinが第１オン電圧Ｖ２１以上になると、第１ＬＥＤアレイ２が導通し、かつ、第１駆動回路１１が動作する。第１駆動回路１１が動作すると、第１電路１７から第１ＬＥＤアレイ２、ダイオードＤ１１、第１駆動回路１１を経て第２電路１８に負荷電流Ｉ２が流れて第１ＬＥＤアレイ２が点灯する（図２参照）。第１駆動回路１１は、電源回路１４から制御電源電流Ｉccが供給され、第１ＬＥＤアレイ２に流れる負荷電流Ｉ２を第１基準電圧Ｖ１に対応した第１目標値に一致させて定電流化するように動作する。ここで、第２電路１８に負荷電流Ｉ２が流れることで抵抗Ｒ１の両端電圧が上昇する。そのため、ブリーダ回路１３は、第１目標値がブリーダ電流Ｉ１よりも大きい値に設定されていれば、ブリーダ電流Ｉ１をゼロとする。なお、電源回路１４は、ブリーダ電流Ｉ１がゼロとなっても、コンデンサＣ１１の充電電荷を放電することで制御電源電流Ｉccの供給を継続することができる。そして、入力電圧Ｖinが第１オン電圧Ｖ２１に等しくなる位相から入力電圧Ｖinが第１オン電圧Ｖ２１と第２オン電圧Ｖ２２の合計値に等しくなる位相までの区間（区間Ｍ２）では、第１ＬＥＤアレイ２のみが点灯し、第２ＬＥＤアレイ３は消灯している。
【００２９】
入力電圧Ｖinが第１オン電圧Ｖ２１と第２オン電圧Ｖ２２の合計値以上になると、第１ＬＥＤアレイ２とともに第２ＬＥＤアレイ３も導通し、かつ、第２駆動回路１２が動作する。第２駆動回路１２が動作すると、第１電路１７から第１ＬＥＤアレイ２、第２ＬＥＤアレイ３、ダイオードＤ１２、第２駆動回路１２を経て第２電路１８に負荷電流Ｉ３が流れて第１ＬＥＤアレイ２及び第２ＬＥＤアレイ３が点灯する（図２参照）。第２駆動回路１２は、電源回路１４から制御電源電流Ｉccが供給され、負荷電流Ｉ３を第２基準電圧Ｖ２に対応した第２目標値に一致させて定電流化するように動作する。ここで、第２電路１８に負荷電流Ｉ３が流れることで抵抗Ｒ２７の両端電圧が上昇し、オペアンプＵ２のマイナス入力端子の入力電圧が上昇する。そのため、第１駆動回路１１はトランジスタＱ１をオフする。また、ブリーダ回路１３は、第２目標値がブリーダ電流Ｉ１よりも大きい値に設定されていれば、ブリーダ電流Ｉ１をゼロとする。なお、電源回路１４は、区間Ｍ２と同様に、ブリーダ電流Ｉ１がゼロとなっても、コンデンサＣ１１の充電電荷を放電することで制御電源電流Ｉccの供給を継続することができる。入力電圧Ｖinが第１オン電圧Ｖ２１と第２オン電圧Ｖ２２の合計値に等しくなる位相から入力電圧Ｖinが第１オン電圧Ｖ２１と第２オン電圧Ｖ２２の合計値を下回る位相までの区間（区間Ｍ３）では、第１ＬＥＤアレイ２と第２ＬＥＤアレイ３の両方が点灯する。
【００３０】
点灯装置１Ａは、入力電圧Ｖinがピーク値を過ぎて第１オン電圧Ｖ２１と第２オン電圧Ｖ２２の合計値に等しくなる位相から入力電圧Ｖinが第１オン電圧Ｖ２１に等しくなる位相までの区間（区間Ｍ４）では、区間Ｍ２と同じ動作を行う。すなわち、区間Ｍ２〜Ｍ４が点灯期間となる。また、点灯装置１Ａは、入力電圧Ｖinが低下して第１オン電圧Ｖ２１に等しくなる位相からブリーダ回路１３が動作を停止する位相までの区間（区間Ｍ５）では、区間Ｍ１と同じ動作を行う。さらに、点灯装置１Ａは、入力電圧Ｖinが低下してブリーダ回路１３が動作を停止している区間（区間Ｍ６）では、区間Ｍ０と同じ動作を行う。すなわち、区間Ｍ０、Ｍ１、Ｍ５及びＭ６が消灯期間となる。
【００３１】
上述のように点灯装置１Ａは、入力電圧Ｖinの１周期において、入力電圧Ｖinを脈流から直流に変換することなく、区間Ｍ２〜Ｍ４で第１ＬＥＤアレイ２又は第１ＬＥＤアレイ２と第２ＬＥＤアレイ３を点灯させることができる。ただし、入力電圧Ｖinが調光器によって位相制御される場合、点灯装置１Ａは、区間Ｍ２〜Ｍ４において入力電圧Ｖinが第１オン電圧Ｖ２１以上である位相の区間にだけ第１ＬＥＤアレイ２又は第１ＬＥＤアレイ２と第２ＬＥＤアレイ３を点灯させる。つまり、点灯装置１Ａは、調光器に制御されて第１ＬＥＤアレイ２及び第２ＬＥＤアレイ３を調光点灯させることができる。
【００３２】
続いて、入力電圧Ｖinが調光器によって位相制御されている場合の点灯装置１Ａの動作について、図４を参照して説明する。図４は、入力電圧Ｖinの１周期における入力電圧Ｖin、トランジスタＱ１のゲート・ソース間電圧Ｖgs及び負荷電流Ｉ２の変化を表している。以下の説明においては、入力電圧Ｖinが調光器によって位相制御されており、例えば、入力電圧Ｖinの位相が０［rad］からπ／２［rad］までの期間（以下、オフ期間という）で調光器のトライアックがオフしている場合を想定している。
【００３３】
オフ期間のうち、区間Ｍ１、Ｍ２においては、第１駆動回路１１のトランジスタＱ１が第１制御回路１１１によってオンされている。このとき、トランジスタＱ１に負荷電流Ｉ２が流れないため、第１制御回路１１１がトランジスタＱ１のゲート・ソース間電圧Ｖgsを最大値まで引き上げている（図４参照）。その結果、トランジスタＱ１のドレイン・ソース間のオン抵抗は最小となる。また、オフ期間のうち、区間Ｍ３においては、第２駆動回路１２のトランジスタＱ２が第１制御回路１２１によってオンされている。このとき、トランジスタＱ２に負荷電流Ｉ３が流れないため、第１制御回路１２１がトランジスタＱ２のゲート・ソース間電圧を最大値まで引き上げている。その結果、トランジスタＱ２のドレイン・ソース間のオン抵抗は最小となる。
【００３４】
区間Ｍ３の途中で調光器のトライアックがオンすると、入力電圧Ｖinが一気にピーク値（約１４１［Ｖ］）まで上昇する（図４参照）。このとき、第１駆動回路１１のトランジスタＱ１のオン抵抗が最小であるため、負荷電流Ｉ２がゼロから数［Ａ］（例えば、約４［Ａ］）まで急激に増大する（図４の破線α参照）。同様に、第２駆動回路１２のトランジスタＱ２のオン抵抗が最小であるため、負荷電流Ｉ３がゼロから数［Ａ］まで急激に増大する。そして、第１制御回路１１１が負荷電流Ｉ２を検出してトランジスタＱ１のゲート・ソース間電圧Ｖgsを低下させるまでの間、過大な負荷電流Ｉ２が流れ続けることになる。同じく、第１制御回路１２１が負荷電流Ｉ３を検出してトランジスタＱ２のゲート・ソース間電圧を低下させるまでの間、過大な負荷電流Ｉ３が流れ続けることになる。ただし、負荷電流Ｉ２、Ｉ３のピーク値は、フィルタ回路１６によって僅かに抑制されている。
【００３５】
ここで、第１制御回路１１１、１２１がトランジスタＱ１、Ｑ２のゲート・ソース間電圧Ｖgsをフィードバック制御する際の第１応答速度に比べて、第２制御回路１１２、１２２がトランジスタＱ１、Ｑ２をターンオフする際の第２応答速度の方が数倍速い。つまり、第１制御回路１１１、１２１のオペアンプＵ２、Ｕ３のマイナス入力端子の入力電圧は、コンデンサＣ２５と抵抗Ｒ２６の積分回路、及びコンデンサＣ１６と抵抗Ｒ３１の積分回路により、負荷電流Ｉ２、Ｉ３の変化に対して時間遅れが生じる。一方、第２制御回路１１２、１２２は、負荷電流Ｉ２、Ｉ３の変化に対して、スイッチ素子Ｑ７、Ｑ８のベース・エミッタ電圧の変化に時間遅れを生じさせる回路素子を有していない。そのため、負荷電流Ｉ２が急激に増大した場合、第２制御回路１１２がトランジスタＱ１のゲート・ソース間電圧Ｖgsを急激に低下させて負荷電流Ｉ２を上限値（例えば、０．５［Ａ］）以下に抑制することができる（図４の実線β参照）。同様に、負荷電流Ｉ３が急激に増大した場合、第２制御回路１２２がトランジスタＱ２のゲート・ソース間電圧を急激に低下させて負荷電流Ｉ３を上限値以下に抑制することができる。なお、第２制御回路１１２、１２２はそれぞれ、負荷電流Ｉ２、Ｉ３が上限値を下回れば、スイッチ素子Ｑ７、Ｑ８をオフしてトランジスタＱ１、Ｑ２をオン状態とする。負荷電流Ｉ２、Ｉ３の上限値は、入力電圧Ｖinが位相制御されない場合の誤動作を防ぐため、第１目標値及び第２目標値の１．５〜２倍程度に設定されることが好ましい。調光器のトライアックがオンしている期間（区間Ｍ３の途中から区間Ｍ５までの期間）において、第１駆動回路１１及び第２駆動回路１２は、負荷電流Ｉ２、Ｉ３を定電流化するように動作する。
【００３６】
ところで、第１制御回路１１１、１２１のオペアンプＵ２、Ｕ３として、応答速度が速いオペアンプが使用されることで負荷電流Ｉ２、Ｉ３の急激な増大を抑えることは可能である。しかしながら、応答速度が速いオペアンプは、一般に応答速度が遅いオペアンプに比べて消費電力が多く、かつ、高価である。これに対して本実施形態の点灯装置１Ａは、駆動回路（第１駆動回路１１及び第２駆動回路１２）が第２制御回路１１２、１２２を有しているので、第１制御回路１１１、１２１のオペアンプＵ２、Ｕ３を低速なオペアンプで構成することができる。また、フィルタ回路１６によって入力電流Ｉin（負荷電流Ｉ２、Ｉ３）の急激な増大を抑制する場合、フィルタ回路１６を構成する回路部品（チョークコイルＬ１及びコンデンサＣ１、Ｃ２）の大型化を招いてしまう。これに対して本実施形態の点灯装置１Ａは、フィルタ回路１６の回路部品の大型化を避けつつ、負荷電流Ｉ２、Ｉ３を上限値以下に抑制することができる。
【００３７】
ここで、フィルタ回路１６は、第１制御回路１１１、１２１の制御応答利得がゼロ以下となる第１周波数よりも高く、かつ、第２制御回路１１２、１２２の制御応答利得がゼロ以下となる第２周波数よりも低い遮断周波数を有することが好ましい。なお、第１周波数は、抵抗Ｒ２５とコンデンサＣ２５の並列回路の時定数及び抵抗Ｒ３０とコンデンサＣ１６の並列回路の時定数によって決まる。また、第２制御回路１１２、１２２の制御応答利得がゼロ以下となる第２周波数は、スイッチ素子Ｑ７、Ｑ８を構成するバイポーラトランジスタのターンオン時間によって決まる。フィルタ回路１６が上述のように構成されれば、フィルタ回路１６を構成する回路部品の大型化を抑えつつ、入力電流Ｉinの急激な変化の抑制を図ることができる。
【００３８】
ところで、第１制御回路１１１、１２１と第２制御回路１１２、１２２とで負荷電流Ｉ２、Ｉ３を検出するための抵抗を兼用してもよい。例えば、図５に示すように、変形例の点灯装置１Ｂにおいて、第１駆動回路１１の第２制御回路１１２は、抵抗Ｒ４４の代わりに第１制御回路１１１の抵抗Ｒ２７を負荷電流Ｉ２の検出抵抗に用いている。すなわち、スイッチ素子Ｑ７のエミッタが第２電路１８と電気的に接続され、抵抗Ｒ２７の両端電圧がスイッチ素子Ｑ７のベース・エミッタ間に印加される。したがって、第２制御回路１１２は、過大な負荷電流Ｉ２が流れて抵抗Ｒ２７の両端電圧がスイッチ素子Ｑ７のしきい値を超えたときにスイッチ素子Ｑ７をオンするように動作する。
【００３９】
また、第２駆動回路１２の第２制御回路１２２は、抵抗Ｒ４７の代わりに第１制御回路１２１の抵抗Ｒ３２を負荷電流Ｉ３の検出抵抗に用いている。すなわち、スイッチ素子Ｑ８のエミッタが抵抗Ｒ３２と抵抗Ｒ２７の接続点と電気的に接続され、抵抗Ｒ３２の両端電圧がスイッチ素子Ｑ８のベース・エミッタ間に印加される。したがって、第２制御回路１２２は、過大な負荷電流Ｉ３が流れて抵抗Ｒ３２の両端電圧がスイッチ素子Ｑ８のしきい値を超えたときにスイッチ素子Ｑ８をオンするように動作する。
【００４０】
変形例の点灯装置１Ｂは、第１駆動回路１１の第１制御回路１１１と第１駆動回路１１の第２制御回路１１２とで負荷電流Ｉ２を検出するための抵抗Ｒ２７を兼用することにより、回路素子の削減による製造コストの低減と回路の小型化を図ることができる。さらに、変形例の点灯装置１Ｂは、第２駆動回路１２の第１制御回路１２１と第２駆動回路１２の第２制御回路１２２とで負荷電流Ｉ３を検出するための抵抗Ｒ３２を兼用することにより、回路素子の削減による製造コストの低減と回路の更なる小型化を図ることができる。
【００４１】
（実施形態２）
実施形態２に係る点灯装置１Ｃは、図６に示すように、駆動回路（図６では第２駆動回路１２のみを図示）の構成に特徴がある。したがって、点灯装置１Ｃの構成のうち、実施形態１の点灯装置１Ａ、１Ｂと共通の構成については、図示並びに説明を省略する。
【００４２】
第２駆動回路１２は、トランジスタＱ２と、トランジスタＱ２を制御する第１制御回路１２１及び第２制御回路１２２とを有している。第１制御回路１２１は、オペアンプＵ７と、コンデンサＣ１６と、抵抗Ｒ３０〜Ｒ３２とを備えている。抵抗Ｒ３２の一端がトランジスタＱ２のソースと電気的に接続されている。抵抗Ｒ３０の一端がトランジスタＱ２のゲートと電気的に接続され、抵抗Ｒ３０の他端がオペアンプＵ７の出力端子と電気的に接続されている。オペアンプＵ７のプラス入力端子は、基準電圧回路１５から第２基準電圧Ｖ２が入力される。オペアンプＵ７のマイナス入力端子は、抵抗Ｒ３１を介してトランジスタＱ２のソースと電気的に接続されている。コンデンサＣ１６は、オペアンプＵ７の出力端子とマイナス入力端子に電気的に直列接続されている。オペアンプＵ７は、トランジスタＱ２のドレイン電流（負荷電流Ｉ３）を抵抗Ｒ３２の両端電圧によって検出し、抵抗Ｒ３２の両端電圧を第２基準電圧Ｖ２に一致させるように出力電圧（トランジスタＱ２のゲート電圧）を調整する。つまり、第１制御回路１２１は、第１ＬＥＤアレイ２及び第２ＬＥＤアレイ３に流れる負荷電流Ｉ３を第２基準電圧Ｖ２に対応した第２目標値に一致させて定電流化する。ここで、コンデンサＣ１６及び抵抗Ｒ３０、Ｒ３１は、オペアンプＵ７の発振を防止するための位相補償回路を構成している。また、第１制御回路１２１の第１応答速度は、抵抗Ｒ３１とコンデンサＣ１６の並列回路の時定数τ１によって決まる。
【００４３】
第２制御回路１２２は、コンパレータＵ８と、コンデンサＣ３２と、抵抗Ｒ５０、Ｒ５１、Ｒ３２とを備えている。抵抗Ｒ５０の一端がコンパレータＵ８の出力端子と電気的に接続され、抵抗Ｒ５０の他端がトランジスタＱ２のゲートと電気的に接続されている。抵抗Ｒ５１の一端がトランジスタＱ２のソースと抵抗Ｒ３２との接続点に電気的に接続され、抵抗Ｒ５１の他端がコンパレータＵ８のマイナス入力端子と電気的に接続されている。コンデンサＣ３２の一端がコンパレータＵ８のマイナス入力端子と電気的に接続され、コンデンサＣ３２の他端が抵抗Ｒ３２の他端と電気的に接続されている。コンパレータＵ８のプラス入力端子は、基準電圧回路１５から第３基準電圧Ｖ３が入力される。ここで、第２制御回路１２２の第２応答速度は、抵抗Ｒ５１とコンデンサＣ３２の並列回路の時定数τ２によって決まる。なお、第２制御回路１２２の時定数τ２は、第１制御回路１２１における時定数τ１よりも十分に小さい値である。そのため、第２制御回路１２２の第２応答速度は、第１制御回路１２１の第１応答速度よりも十分に速くなっている。
【００４４】
なお、図示及び説明は省略しているが、第１駆動回路１１も第２駆動回路１２の第１制御回路１２１及び第２制御回路１２２と共通の回路構成を備えた第１制御回路及び第２制御回路を有している。
【００４５】
基準電圧回路１５は、３つの抵抗Ｒ２１、Ｒ２３、Ｒ２４と、２つのコンデンサＣ１４、Ｃ１５とを有している。抵抗Ｒ２３の一端が第１電路１７と電気的に接続され、抵抗Ｒ２３の他端が抵抗Ｒ２４の一端と電気的に接続されている。抵抗Ｒ２４の他端と抵抗Ｒ２１の一端が電気的に接続され、抵抗Ｒ２１の他端が第２電路１８と電気的に接続されている。コンデンサＣ１４は、抵抗Ｒ２１と電気的に並列接続されている。コンデンサＣ１５は、２つの抵抗Ｒ２４、Ｒ２１の直列回路と電気的に並列接続されている。基準電圧回路１５は、第１電路１７と第２電路１８の間に印加される入力電圧Ｖinを３つの抵抗Ｒ２３、Ｒ２４、Ｒ２１の直列回路からなる分圧回路で分圧することにより、第２基準電圧Ｖ２と、第２基準電圧Ｖ２よりも高い第３基準電圧Ｖ３とを生成している。ここで、第２基準電圧Ｖ２と第３基準電圧Ｖ３は、コンデンサＣ１４、Ｃ１５によって平滑されてほぼ一定に保たれている。ただし、基準電圧回路１５は、コンデンサＣ１４、Ｃ１５の容量が十分に小さくされることにより、入力電圧Ｖinの変化に追従して第２基準電圧Ｖ２及び第３基準電圧Ｖ３を変化させるように構成されてもよい。
【００４６】
次に、入力電圧Ｖinが調光器によって位相制御されていない場合の第２駆動回路１２の動作を説明する。入力電圧Ｖinが上昇して第１オン電圧Ｖ２１と第２オン電圧Ｖ２２の合計値以上になると、第１ＬＥＤアレイ２とともに第２ＬＥＤアレイ３が導通し、かつ、第２駆動回路１２が動作する。第２駆動回路１２の第１制御回路１２１は、抵抗Ｒ３２に流れる負荷電流Ｉ３（の大きさ）を第２基準電圧Ｖ２に対応した第２目標値に一致させるようにトランジスタＱ２のゲート・ソース間電圧を制御する。一方、第２制御回路１２２は、抵抗Ｒ３２に流れる負荷電流Ｉ３（の大きさ）を第３基準電圧Ｖ３に対応した上限値と比較している。入力電圧Ｖinが位相制御されていない場合、負荷電流Ｉ３が上限値を超えることは殆どないので、第２制御回路１２２の出力（コンパレータＵ８の出力）がハイレベルとなる。つまり、トランジスタＱ２のゲート・ソース間電圧は、第１制御回路１２１によって制御される。
【００４７】
続いて、入力電圧Ｖinが調光器によって位相制御されている場合の第２駆動回路１２の動作を説明する。以下の説明においては、入力電圧Ｖinの位相が０［rad］からπ／２［rad］までの期間（以下、オフ期間という）で調光器のトライアックがオフしている場合を想定している。
【００４８】
第１制御回路１２１は、オフ期間のうちの入力電圧Ｖinのピーク値に近い区間において、トランジスタＱ２のゲート・ソース間電圧を最大値まで引き上げている。その結果、トランジスタＱ２のドレイン・ソース間のオン抵抗は最小となる。調光器のトライアックがオンすると、入力電圧Ｖinが一気にピーク値（約１４１［Ｖ］）まで上昇する。このとき、第２駆動回路１２のトランジスタＱ２のオン抵抗が最小であるため、負荷電流Ｉ３がゼロから数［Ａ］まで急激に増大する。負荷電流Ｉ３が急激に増大すると、第１制御回路１２１よりも先に第２制御回路１２２の出力（コンパレータＵ８の出力）がハイレベルからローレベルに変化する。第２制御回路１２２の出力がローレベルになると、トランジスタＱ２のゲートに蓄積されている電荷が第２制御回路１２２を介して引き抜かれ、トランジスタＱ２がターンオフする。つまり、第２制御回路１２２は、負荷電流Ｉ３が上限値以上のときにトランジスタＱ２をターンオフすることで負荷電流Ｉ３を減少させる。
【００４９】
本実施形態の点灯装置１Ｃは、実施形態１の点灯装置１Ａ、１Ｂと同様に、入力電圧Ｖinが位相制御された場合に過電流の抑制を図ることができる。また、本実施形態の点灯装置１Ｃの第２制御回路１２２は、コンパレータＵ８によってトランジスタＱ２をオフしている。そのため、点灯装置１Ｃは、点灯装置１Ａ、１Ｂのように、バイポーラトランジスタからなるスイッチ素子Ｑ８でトランジスタＱ２をオフする場合と比較して、第２制御回路１２２の第２応答速度を速くすることができる。その結果、点灯装置１Ｃは、第２制御回路１２２における上限値を下げて第２目標値に近付けることにより、更なる過電流の抑制を図ることができる。また、基準電圧回路１５が第２基準電圧Ｖ２及び第３基準電圧Ｖ３を入力電圧Ｖinに追従するように変化させる場合、第２制御回路１２２は、負荷電流Ｉ３の上限値を入力電圧Ｖinに追従して変化させる。その結果、点灯装置１Ｃは、調光器によって位相調光制御される場合の過電流の抑制を精度よく行うことができる。なお、点灯装置１Ｃにおける第２駆動回路１２は、第１制御回路１２１が有するオペアンプＵ７と、第２制御回路１２２が有するコンパレータＵ８とを１つの集積回路で構成して小型化を図ることも可能である。
【００５０】
上述のように点灯装置１Ａ〜１Ｃは、交流電圧を整流して脈流電圧（入力電圧Ｖin）を出力する整流回路１０を備える。また、点灯装置１Ａ〜１Ｃは、脈流電圧の１周期内において、固体光源（ＬＥＤ２０、３０）に電流（負荷電流Ｉ２、Ｉ３）を供給する点灯期間と固体光源に電流を供給しない消灯期間とを脈流電圧の電圧値に応じて切り替える駆動回路を備える。駆動回路は、第１制御回路１１１、１２１と第２制御回路１１２、１２２とを有している。第１制御回路１１１、１２１は、固体光源に流れる電流を増減する制御素子（トランジスタＱ１、Ｑ２）と、点灯期間において固体光源に流れる負荷電流Ｉ２、Ｉ３の大きさを検出し、負荷電流Ｉ２、Ｉ３の大きさを第１目標値に一致させるように制御素子を制御する。第２制御回路１１２、１２２は、点灯期間において固体光源に流れる負荷電流Ｉ２、Ｉ３の大きさを検出し、負荷電流Ｉ２、Ｉ３の大きさが第１目標値よりも大きい上限値を超えないように制御素子を制御する。さらに、第２制御回路１１２、１２２は、第１制御回路１１１、１２１が負荷電流Ｉ２、Ｉ３の大きさを制御する際の第１応答速度よりも速い第２応答速度で制御素子を制御する。
【００５１】
点灯装置１Ａ〜１Ｃは上述のように構成されるので、第１応答速度よりも速い第２応答速度で第２制御回路１１２、１２２が制御素子を制御して負荷電流Ｉ２、Ｉ３を上限値以下に抑えることができる。その結果、点灯装置１Ａ〜１Ｃは、入力電圧Ｖinが位相制御された場合に過電流の抑制を図ることができる。
【００５２】
点灯装置１Ｂ、１Ｃにおいて、第１駆動回路１１の第１制御回路１１１は、負荷電流Ｉ２の大きさを検出する検出素子（抵抗Ｒ２７）を有し、検出素子で検出される負荷電流Ｉ２の大きさに応じて制御素子を制御することが好ましい。第１駆動回路１１の第２制御回路１１２は、検出素子（抵抗Ｒ２７）で検出される負荷電流Ｉ２の大きさに応じて制御素子を制御することが好ましい。第２駆動回路１２の第１制御回路１２１は、負荷電流Ｉ３の大きさを検出する検出素子（抵抗Ｒ３２）を有し、検出素子で検出される負荷電流Ｉ３の大きさに応じて制御素子を制御することが好ましい。第２駆動回路１２の第２制御回路１２２は、検出素子（抵抗Ｒ３２）で検出される負荷電流Ｉ３の大きさに応じて制御素子を制御することが好ましい。
【００５３】
点灯装置１Ｂ、１Ｃが上述のように構成されれば、第１制御回路１１１と第２制御回路１１２で１つの検出素子（抵抗Ｒ２７）を兼用し、第１制御回路１２１と第２制御回路１２２で１つの検出素子（抵抗Ｒ３２）を兼用して回路素子の削減を図ることができる。
【００５４】
点灯装置１Ｃにおいて、第２制御回路１１２、１２２は、脈流電圧（入力電圧Ｖin）に応じて上限値を変更することが好ましい。
【００５５】
点灯装置１Ｃが上述のように構成されれば、調光器によって位相調光制御される場合の過電流の抑制を精度よく行うことができる。
【００５６】
点灯装置１Ａ〜１Ｃにおいて、整流回路１０の入力側もしくは出力側に設けられ、入力（入力電圧Ｖin、入力電流Ｉin）に含まれる高調波成分を減衰させるフィルタ回路１６を備えることが好ましい。
【００５７】
点灯装置１Ａ〜１Ｃが上述のように構成されれば、負荷電流Ｉ２、Ｉ３の急激な変化の抑制を図ることができる。
【００５８】
点灯装置１Ａ〜１Ｃにおいて、フィルタ回路１６は、第１制御回路１１１、１２１の制御応答利得がゼロ以下となる第１周波数よりも高く、かつ、第２制御回路１１２、１２２の制御応答利得がゼロ以下となる第２周波数よりも低い遮断周波数を有することが好ましい。
【００５９】
点灯装置１Ａ〜１Ｃが上述のように構成されれば、フィルタ回路１６を構成する回路部品の大型化を抑えつつ、入力電流Ｉin（負荷電流Ｉ２、Ｉ３）の急激な変化の抑制を図ることができる。
【００６０】
（実施形態３）
以下、実施形態３に係る照明器具について詳細に説明する。
【００６１】
図７Ａは本実施形態に係る照明器具５Ａの斜視図である。
【００６２】
この照明器具５Ａは、実施形態１、２の点灯装置１Ａ〜１Ｃのいずれか１つと、いずれか１つの点灯装置１Ａ〜１Ｃを収容する本体５０Ａとを備えている。
【００６３】
照明器具５Ａは、天井に埋込配設されるダウンライトとして構成される。照明器具５Ａは、第１ＬＥＤアレイ２、第２ＬＥＤアレイ３と点灯装置１Ａ〜１Ｃのいずれか１つとを収容する本体５０Ａと、反射板６１とを備えている。本体５０Ａは、複数枚の放熱フィン６２を上部に備えている。本体５０Ａからは電源ケーブル６３が導出されている。電源ケーブル６３は、本体５０Ａに収容された点灯装置と、交流電源４とを電気的に接続している。
【００６４】
また、照明器具は、ダウンライトとして構成された照明器具に限定されず、スポットライトとして構成された照明器具でもよいし、その他の形態に構成された照明器具でもよい。
【００６５】
図７Ｂ及び図７Ｃは、配線ダクト７に取り付けられるスポットライトとして構成された照明器具５Ｂ、５Ｃである。
【００６６】
図７Ｂ及び図７Ｃは、配線ダクト７に取り付けられるスポットライトとしてそれぞれ構成された照明器具５Ｂ（変形例１）、照明器具５Ｃ（変形例２）である。
【００６７】
変形例１の照明器具５Ｂは、図７Ｂに示すように、本体５０Ｂと、反射板６４と、コネクタ部６５と、アーム部６６とを備える。本体５０Ｂは、第１ＬＥＤアレイ２、第２ＬＥＤアレイ３と点灯装置１Ａ〜１Ｃのいずれか１つとを収容する。コネクタ部６５は、配線ダクト７に装着される。アーム部６６は、コネクタ部６５と本体５０Ｂとを結合する。本体５０Ｂに収容された点灯装置（点灯装置１Ａ〜１Ｃのいずれか１つ）とコネクタ部６５とは、電源ケーブル６７を介して接続されている。
【００６８】
また、変形例２の照明器具５Ｃは、図７Ｃに示すように、本体５０Ｃと、ボックス６８と、連結部７０と、電源ケーブル７１とを備えている。本体５０Ｃは第１ＬＥＤアレイ２、第２ＬＥＤアレイ３を収容する。ボックス６８は点灯装置（点灯装置１Ａ〜１Ｃのいずれか１つ）を収容する。連結部７０は本体５０Ｃとボックス６８とを連結する。電源ケーブル７１は、本体５０Ｃに収容された第１ＬＥＤアレイ２、第２ＬＥＤアレイ３と、ボックス６８に収容された点灯装置（点灯装置１Ａ〜１Ｃのいずれか１つ）とを電気的に接続する。なお、ボックス６８の上面には、配線ダクト７と着脱可能な状態で電気的且つ機械的に接続されるコネクタ部６９が設けられる。
【００６９】
上述のように照明器具（照明器具５Ａ、照明器具５Ｂ及び照明器具５Ｃ）は、点灯装置（点灯装置１Ａ〜１Ｃのいずれか１つ）と、点灯装置を保持する本体（本体５０Ａ、本体５０Ｂ又は本体５０Ｃ）とを備えている。
【００７０】
照明器具は上述のように構成されるので、点灯装置（点灯装置１Ａ〜１Ｃのいずれか１つ）を備えるので、入力電圧Ｖinが位相制御された場合に過電流の抑制を図ることができる。
【符号の説明】
【００７１】
１Ａ、１Ｂ、１Ｃ  点灯装置
１０  整流回路
１１  第１駆動回路（駆動回路）
１２  第２駆動回路（駆動回路）
１６  フィルタ回路
２０  ＬＥＤ（固体光源）
３０  ＬＥＤ（固体光源）
５０Ａ、５０Ｂ、５０Ｃ  本体
１１１  第１制御回路
１１２  第２制御回路
１２１  第１制御回路
１２２  第２制御回路
Ｑ１、Ｑ２  トランジスタ（制御素子）
Ｒ２７、Ｒ３２  検出素子
Ｉ２、Ｉ３  負荷電流
Ｖin  入力電圧（脈流電圧）
【図１】
2018106843.tif 000003
【図２】
2018106843.tif 000004
【図３】
2018106843.tif 000005
【図４】
2018106843.tif 000006
【図５】
2018106843.tif 000007
【図６】
2018106843.tif 000008
【図７】
2018106843.tif 000009